(57)【要約】      （修正有）【課題】糊付されたクロスの積層体の出し入れが容易であることは元より、壁紙の柄や壁紙の積層体の端に差し込んだ目印なども確認しやすい糊付済み壁紙の乾燥防止養生袋を提供する。【解決手段】非透湿性の材料からなる矩形状の袋体であり、矩形状の一辺に糊付済み壁紙の折り畳み積層体２０を出し入れする開口部１２が形成された養生袋１０において、矩形状の袋体が壁紙の幅寸法よりも大きい長手寸法であり、長手方向の両側部にマチ部１４が形成されたガゼット袋体であり、開口部１２が前記矩形状の短手辺に形成されている。【選択図】図２
0003205118.tif 000002
【実用新案登録請求の範囲】
【請求項１】
非透湿性の材料からなる矩形状の袋体であり、矩形状の一辺に糊付済み壁紙の折り畳み積層体を出し入れする開口部が形成された養生袋において、
前記矩形状の袋体が、前記壁紙の幅寸法よりも大きい長手寸法であり、長手方向の両側部にマチ部が形成されたガゼット袋体であり、
前記開口部が前記矩形状の短手辺に形成されていることを特徴とする乾燥防止養生袋。
【請求項２】
非透湿性の材料からなる矩形状の袋体であり、矩形状の一辺に糊付済み壁紙の折り畳み積層体を出し入れする開口部が形成された養生袋において、
前記矩形状の袋体が、前記壁紙の幅寸法よりも大きい長手寸法であり、長手方向の両側部にマチ部が形成されたガゼット袋体であり、
前記開口部が前記矩形状の短手辺に形成されており、
前記袋体の表面に形成されたアクセント掲示欄を更に備えたことを特徴とする乾燥防止養生袋。
【請求項３】
非透湿性の材料からなる矩形状の袋体であり、矩形状の一辺に糊付済み壁紙の折り畳み積層体を出し入れする開口部が形成された養生袋において、
前記矩形状の袋体が、短手幅６００ｍｍ、長手寸法長さ１３５０ｍｍであり、長手方向の両側部に３００ｍｍ幅のマチ部が形成された厚さ０．１ｍｍの透明なポリエチレン製のガゼット袋体であり、
前記開口部が前記矩形状の短手辺に形成されており、
前記袋体の表面に形成されたアクセント掲示欄を更に備えたことを特徴とする乾燥防止養生袋。
【考案の詳細な説明】
【技術分野】
【０００１】
本考案は、例えば壁面への貼付までの間、接着剤を塗布しておいた壁紙を収容して接着剤の乾燥を防止するための養生袋に関するものである。
【背景技術】
【０００２】
現在、建築物の内装施工における壁紙（以下、クロスとも記す）の室内壁面への貼付は、壁紙糊付機を用いてシート状の壁紙の裏面に連続的に接着剤としての糊を塗布しながら行うのが一般的となっている。このような連続的な糊付け作業では、貼付壁面に応じた長さの、必要枚数分の糊付済み壁紙がまとまって得られる。従って、全ての貼付が終わるまで、例えば数十分、数時間の間、糊付済み壁紙を接着剤が乾燥させず、更に、糊付現場での細かな塵等が糊付面に付着しないように袋に収容して養生しておくことが必要となっている。
【０００３】
この養生袋としては、様々なものが使用可能ではあるが、市販品等を用いると、養生すべき壁紙の寸法に適合しないこともあって、破損や、密閉性が不充分で過度のあるいは不均一な接着剤の乾燥が生じて満足できる養生効果を得ることが困難であるため、糊付壁紙専用の養生袋を用いることが望まれていた。
【０００４】
そこで、本出願人は、作業現場の要望に応えて、糊付済み壁紙の乾燥防止のための養生袋を提案している（例えば、特許文献１及び特許文献２参照）。この養生袋は、非透湿性の材料からなり、一つの長辺を開口部とする矩形状の平袋であり、開口部を形成する上面部分よりも下面部分が長く、かつ開口部の上面端より袋の底方向の平行位置で上面部分及び下面部分を重ねて折り曲げ、下面部分及び折り曲げられた上面部分を残りの上面部分の上に重畳可能にしたものである。
【先行技術文献】
【特許文献】
【０００５】
【特許文献１】特開２０００−６６００号公報
【特許文献２】特開２００１−３３４７９８号公報
【考案の概要】
【考案が解決しようとする課題】
【０００６】
しかしながら、このような養生袋について、従来の養生袋は糊付済み壁紙の積層体の出し入れを容易とするため、開口部が矩形状の長辺の一つに形成されているが、この長辺に形成された開口部の影響で作業勝手がよくない等との指摘を作業者から少なからず受けた。
【０００７】
詳しくは、糊塗布後の壁紙は、クロス幅が９００ｍｍ前後の壁紙の長手方向を表面同士及び裏面同士を合わせるように奥行き３５０〜４５０ｍｍ程度に順に波状にゆるく折り畳んで積層体としている。この際、一つの内装現場で貼着される壁紙の積層体を数個程度を積み重ねて一つの養生袋に収容する。
【０００８】
この際、個々の壁紙の積層体については、作業現場のどの位置の内装壁に貼着するものかの目印として、壁紙の端材等を所望の大きさに切って作製したメモ書きを折り畳んだ壁紙の間に挟み込んでおくことが常に行われている。
【０００９】
その後の内装工事の際には、収容された養生袋の中から該当する壁紙の積層体を柄やこれら目印を確認しつつ探すのであるが、目印のメモ書きは、邪魔にならず落下し難い壁紙の端部の角部とその下の折り返し面との間に挟み込まれるのが常である。
【００１０】
従来の養生袋では、開口部が矩形状の長辺の一つに形成されている。そのため、壁紙の積層体の目印が存在する場所は開口部の端部になる。このため、開口部の端部に存在する壁紙の積層体の目印を確認するのが難しく、更に、壁紙の糊付面を汚す虞もあった。
【００１１】
本考案は、糊付された壁紙の積層体の出し入れが容易であることは元より、壁紙の柄や壁紙の積層体の端に差し込んだ目印なども確認しやすい糊付済み壁紙の乾燥防止養生袋を得ることを目的とする。
【課題を解決するための手段】
【００１２】
請求項１に記載された考案に係る乾燥防止養生袋は、非透湿性の材料からなる矩形状の袋体であり、矩形状の一辺に糊付済み壁紙の折り畳み積層体を出し入れする開口部が形成された養生袋において、
前記矩形状の袋体が、前記壁紙の幅寸法よりも大きい長手寸法であり、長手方向の両側部にマチ部が形成されたガゼット袋体であり、
前記開口部が前記矩形状の短手辺に形成されていることを特徴とするものである。
【００１３】
請求項２に記載された考案に係る乾燥防止養生袋は、非透湿性の材料からなる矩形状の袋体であり、矩形状の一辺に糊付済み壁紙の折り畳み積層体を出し入れする開口部が形成された養生袋において、
前記矩形状の袋体が、前記壁紙の幅寸法よりも大きい長手寸法であり、長手方向の両側部にマチ部が形成されたガゼット袋体であり、
前記開口部が前記矩形状の短手辺に形成されており、
前記袋体の表面に形成されたアクセント掲示欄を更に備えたことを特徴とするものである。
【００１４】
請求項３に記載された考案に係る乾燥防止養生袋は、非透湿性の材料からなる矩形状の袋体であり、矩形状の一辺に糊付済み壁紙の折り畳み積層体を出し入れする開口部が形成された養生袋において、
前記矩形状の袋体が、短手幅６００ｍｍ、長手寸法１３５０ｍｍであり、長手方向の両側部に３００ｍｍ幅のマチ部が形成された厚さ０．１ｍｍの透明なポリエチレン製のガゼット袋体であり、
前記開口部が前記矩形状の短手辺に形成されており、
前記袋体の表面に形成されたアクセント掲示欄を更に備えたことを特徴とするものである。
【考案の効果】
【００１５】
本考案は、糊付された壁紙の積層体の出し入れが容易であることは元より、壁紙の柄や端に差し込んだ目印なども確認しやすい糊付済み壁紙の乾燥防止養生袋を得ることができるという効果がある。
【図面の簡単な説明】
【００１６】
【図１】本考案の乾燥防止養生袋の一実施例の一方のマチ部を折り曲げた状態の構成を示す説明図であり、ａ図は平面図、ｂ図は一部の拡大図を含む正面図、ｃ図は一部の拡大図を含む左側面図である。
【図２】図１の乾燥防止養生袋の使用状態の構成を示す説明図であり、ａ図は平面図、ｂ図は正面図、ｃ図は一部の拡大図を含む左側面図である。
【考案を実施するための形態】
【００１７】
本考案は、非透湿性の材料からなる矩形状の袋体であり、矩形状の一辺に糊付済み壁紙の折り畳み積層体を出し入れする開口部が形成された糊付済み壁紙の乾燥を防止する養生袋である。特に、矩形状の袋体が壁紙の幅寸法よりも大きい長手寸法であり、長手方向の両側部にマチ部が形成されたガゼット袋体であり、開口部が矩形状の短手辺に形成されているものである。これにより、糊付された壁紙の積層体のクロス幅方向に沿った出し入れが容易であることは元より、壁紙の柄や端に差し込んだ目印なども確認しやすい利点を奏する。
【００１８】
即ち、糊付された壁紙の積層体は、糊付された壁紙の長手方向を表面同士及び糊付面同士を合わせるように順に波状にゆるく折り畳んで構成されている。本考案の養生袋では、壁紙の積層体の幅長さよりも大きい長手寸法を備えればよく、好ましくは１．５倍以上の長手寸法を備えればよい。
【００１９】
また、壁紙の柄や端に差し込んだ目印も確認し易くするために、開口部は矩形状の短手辺に形成される。即ち、貼着される個々の壁紙の積層体は、作業現場のどの位置の内装壁に貼着するものかの目印として、壁紙の柄や、内装壁に貼着する際に殆ど切り離される壁紙の先端部の角部の表面又は裏面に施される目印を備えるため、この目印を容易に探すことができるように、開口部は矩形状の短手辺に形成される。
【００２０】
更に、開口部からの壁紙の積層体の出し入れを容易とするために、本考案の養生袋の袋体は、長手方向の両側部にマチ部が形成されたガゼット袋体としている。開口部にマチ部を備えたために、従来の開口部を形成する上面部分よりも長い下面部分を備えなくても、開口部からの壁紙の積層体の出し入れが容易となり、密閉性についても、開口部と積層体の端部との間を上面側又は下面側に折り畳むことにより、確保することができる。
【００２１】
本考案の養生袋としては、非透湿性の材料からなり、適度の可撓性を有する材料が選択される。それらの、単層であっても、複数の材料を重層した複合材料でもよい。また、必要により透明な材料あるいは金属箔を重層した材料でもよい。それらの材料の例としては、厚さが１０〜６００μｍのポリエチレン、ポリプロピレン、ポリ塩化ビニリデン、ポリ塩化ビニル、ポリエチレンテレフタレート（ＰＥＴ）、ポリアクリル酸エステルまたはナイロンのシートあるいはこれらの素材に着色材または充填材を添加して成形したシート、さらにこれらのシートを重層して成形した複合シートが挙げられる。より好ましい態様としては、厚さが０．１ｍｍ（１００μｍ）のポリエチレン製が挙げられる。
【００２２】
本考案の養生袋の具体的な寸法としては、少なくとも壁紙の幅寸法よりも大きい長手寸法の矩形状であればよい。より具体的には、多くの壁紙の幅が９００ｍｍ前後であるため、開口部と積層体の端部との間を上面側又は下面側に容易に折り畳むことができるような長手寸法を備えればよい。より好ましい態様としては、開口部の短手幅が６００ｍｍ程度、長手寸法長さが１３５０ｍｍであり、開口部のマチ部の幅が３００ｍｍ幅であるものが挙げられる。
【００２３】
また、本考案の養生袋は、内装作業現場に配置される。そのため、新築の現場では照明器具もまばらな内装現場もあるため、養生袋に躓いたり、養生袋を踏みつけたりすることの無いように、作業者の注意を喚起するアクセントが有効である。そのため、好ましくは、袋体の表面に赤色等の目立つ色で形成されたアクセント掲示欄を備える。
【実施例】
【００２４】
図１は本考案の乾燥防止養生袋の一実施例の一方のマチ部を折り曲げた状態の構成を示す説明図であり、ａ図は平面図、ｂ図は一部の拡大図を含む正面図、ｃ図は一部の拡大図を含む左側面図である。図２は図１の乾燥防止養生袋の使用状態の構成を示す説明図であり、ａ図は平面図、ｂ図は正面図、ｃ図は一部の拡大図を含む左側面図である。
【００２５】
図１のａ図に示す通り、本実施例の乾燥防止養生袋１０は、短手幅が６００ｍｍ、長手寸法長さが１３５０ｍｍの矩形状の袋体であり、厚さが０．１ｍｍ（１００μｍ）の透明なポリエチレン製のマチ付きのガゼット袋である。図１のｃ図に示す通り、開口部１２は矩形状の短手辺に形成されており、開口部１２には開口部両側に３００ｍｍ幅のマチ部１４が形成されている。尚、図１に示す例ではマチ部１４は折り畳まれているため、半分の１５０ｍｍ幅に現れている。
【００２６】
図１のｂ図の拡大図に示す通り、開口部１２の対向する短手辺はマチ部を含んで融着部１８で融着して閉塞された所謂「横ガゼットタイプ」のガゼット袋である。ａ図に示す通り、養生袋１０の上面には赤色のインクでアクセント掲示欄１６が印刷されいる。これにより、照明が不充分な作業現場でも、養生袋に躓いたり、養生袋を踏みつけたりすることの無いように作業者の注意を喚起することができる。
【００２７】
尚、この掲示欄１６は、現場の作業者が躓かないように、また、踏まないように注意を喚起する模様のみを印刷してもよいが、注意を喚起する文字、更には、本養生袋の名称、本養生袋の使用方法を印刷して掲示してもよい。
【００２８】
本考案の養生袋１０は、糊付済みクロスを折り畳んだクロス積層体２０を複数体積み重ねた状態で内部に保持することにより、実際に内装現場で貼着する間にクロスに塗布された糊等の接着剤の乾燥を防ぐ。加えて、糊付面に作業現場の塵等の付着を防止する。具体的な使用方法は次の通りである。
【００２９】
図２のａ図〜ｃ図に示す通り、クロス積層体２０の各々にはクロスの端部の折り返し部にクロスの端材等を所望の大きさに切った目印２２を挟み込んでいる。この目印２２には、作業現場のどの位置の内装壁に貼着するものかの情報を簡単な記号で示したメモ書きをしたものである。
【００３０】
図２のｃ図に示す通り、クロス積層体２０はこの目印２２を開口部１２側になるように、複数のクロス積層体２０を重ね合わせて養生袋１０の開口部１２からクロス幅方向に沿って装入する。図２のａ図及びｂ図に示す通り、クロス積層体２０の装入先端部が融着部１８側の近傍まで達した後に、養生袋１０の開口部１２とクロス積層体２０の端部との間を上面側又は下面側に折り畳むことにより、密閉性を確保することができ、クロスの接着剤の乾燥を防ぐ。
【００３１】
養生袋１０の開口部１２とクロス積層体２０の端部との間を上面側又は下面側に折り畳んで密閉性を確保した状態で、内装作業現場に養生袋１０ごとクロス積層体２０を搬送する。内装作業現場で作業者は養生袋１０の開口部１２を明け、図２のｃ図に示す通り、開口部１２側に表出された目印２２のメモ書きを読取ながら、該当するクロス積層体２０を取り出し、該当する壁面に貼着する。
【００３２】
尚、クロス積層体２０は、幅が９００ｍｍ前後のクロスの長手方向を表面同士及び裏面同士を合わせるように奥行き３５０〜４５０ｍｍ程度に順に波状にゆるく折り畳んで積層させるため、上下のクロス積層体２０同士は糊付されていない表面同士が接触している。このため、該当するクロス積層体２０のみを開口部１２から引き出す際に上方のクロス積層体２０を軽く持ち上げて引き出すことにより、引き出すことができる。
【００３３】
この際、開口部１２には短手幅６００ｍｍの半分の３００ｍｍ幅のマチ部１４が備わっているため、引き出すクロス積層体２０の上方に積み重ねられたクロス積層体２０を持ち上げることが容易に行うことができるため、簡単に引き出すことができる。
【００３４】
また、目印２２はクロスの端部の角部に固着されているため、該当する壁面に貼着する際に、余分のクロスと共に貼着されたクロスと切り離されるため、内装壁面に残ることは無い。
【産業上の利用可能性】
【００３５】
従来の長手辺に開口部が形成された養生袋と比較しても乾燥防止効果も充分であり、尚且つ、作業勝手が飛躍的に向上した養生袋である。
【符号の説明】
【００３６】
１０…乾燥防止養生袋、
１２…開口部、
１４…マチ部、
１６…アクセント掲示欄、
１８…融着部、
２０…クロス積層体（壁紙の折り畳み積層体）、
２２…目印、
【図１】
0003205118.tif 000003
【図２】
0003205118.tif 000004